(57)【要約】【課題】スラブ型枠に手間をかけずに簡単に設置できる中空材ユニットおよびその設置方法を提供することである。【解決手段】中空材ユニット１は、縦横に適宜間隔をもって配置された中空材２の頂部に載せられた格子状または線状の繋ぎ材４が、下部を中空材２に刺し込んだ埋込アンカー３で取り付けられ、該埋込アンカー３の下部に抜け止用返し８が設けられたことである。【選択図】  図１
2004244938.tif 000002
【特許請求の範囲】
【請求項１】
縦横に適宜間隔をもって配置された中空材の頂部に載せられた格子状または線状の繋ぎ材が、下部を中空材に刺し込んだ埋込アンカーで取り付けられ、該埋込アンカーの下部に抜け防止用返しが設けられたことを特徴とする中空材ユニット。
【請求項２】
縦横に適宜間隔をもって配置された中空材の頂部に載せられた格子状または線状の繋ぎ材が、中空材に埋め込まれた補強プレートに結束線で結束されて、中空材に固定されたことを特徴とする中空材ユニット。
【請求項３】
縦横に適宜間隔をもって配置された中空材の上面と下面とに設置された格子状または線状の繋ぎ材が、中空材を貫通した結束線で結束されて、中空材に固定されたことを特徴とする中空材ユニット。
【請求項４】
中空材はカプセル形または球形であることを特徴とする請求項１〜３のいずれかに記載の中空材ユニット。
【請求項５】
繋ぎ材は溶接金網であることを特徴とする請求項１〜４のいずれかに記載の中空材ユニット。
【請求項６】
縦横に適宜間隔をもって配置された中空材が頂部に設置された格子状または線状の繋ぎ材と、下部側面に突設された突起とで一体的に連結されて形成された中空材ユニットを、スラブ型枠に配筋された上端筋の格子部に押し込んで、前記突起を上端筋で変形させながら上端筋と下端筋との間に設置することを特徴とする中空材ユニットの設置方法。
【請求項７】
突起は中央部で上下に切断されたものであることを特徴とする請求項６に記載の中空材ユニットの設置方法。
【請求項８】
突起は一体的に形成され、中央部に分断用の切り込みが設けられたものであることを特徴とする請求項６に記載の中空材ユニットの設置方法。
【発明の詳細な説明】
【０００１】
【発明の属する技術分野】
本発明は中空材ユニットおよびこの設置方法に関するものである。
【０００２】
【従来の技術】
従来の中空材としては、特開２００２−２６６４５７号の発明がある。これは中空材をスラブの上端筋と下端筋との間に設置し、上下に配置した補助筋で拘束するものである。また中空材ユニットの設置方法としては、特願２００２−１３６９７７号の発明がある。これは中空材をユニット化してスラブの上端筋と下端筋との間に設置するものである。
【０００３】
【特許文献１】
特開２００２−２６６４５７（図１）
【０００４】
【発明が解決しようとする課題】
上記の中空材は下端筋を配筋した後に敷設できるという利点があったが、そのためには中空材の下部を拘束する補助筋を設置する必要があり、かつ中空材を個々に設置するために手間がかかるという問題があった。
また上記の中空材ユニットの設置方法は、上端筋の配筋が中空材ユニットの設置後となるため、中空材ユニットを設置しなければ上端筋の配筋ができないという問題があった。
【０００５】
本発明は上記のような問題に鑑みてなされたものであり、その目的は、スラブ型枠に手間をかけずに簡単に設置できる中空材ユニットおよびその設置方法を提供することである。
【０００６】
【課題を解決するための手段】
以上の課題を解決するための中空材ユニットは、縦横に適宜間隔をもって配置された中空材の頂部に載せられた格子状または線状の繋ぎ材が、下部を中空材に刺し込んだ埋込アンカーで取り付けられ、該埋込アンカーの下部に抜け止用返しが設けられた構成である。
また中空材ユニットは、縦横に適宜間隔をもって配置された中空材の頂部に載せられた格子状または線状の繋ぎ材が、中空材に埋め込まれた補強プレートに結束線で結束されて、中空材に固定された構成である。
さらに、中空材ユニットは、縦横に適宜間隔をもって配置された中空材の上面と下面とに設置された格子状または線状の繋ぎ材が、中空材を貫通した結束線で結束されて、中空材に固定された構成である。
また中空材はカプセル形または球形であることを含み、また繋ぎ材は溶接金網であることを含むものである。
【０００７】
また中空材ユニットの設置方法は、縦横に適宜間隔をもって配置された中空材が頂部に設置された格子状または線状の繋ぎ材と、下部側面に突設された突起とで一体的に連結されて形成された中空材ユニットを、スラブ型枠に配筋された上端筋の格子部に押し込んで、前記突起を上端筋で変形させながら上端筋と下端筋との間に設置する構成である。また突起は中央部で上下に切断されたものであることを含み、また突起は一体的に形成され、中央部に分断用の切り込みが設けられたことを含むものである。
【０００８】
中空材ユニットの形成において、繋ぎ材が埋設アンカーまたは結束線で中空材に簡単に取り付けられる。またスラブ型枠に格子状の上端筋と下端筋とを配筋した後であっても、上端筋の格子部からこれらの間に中空材ユニットを押し込んで設置することができる。
【０００９】
【発明の実施の形態】
以下、本発明の中空材ユニットおよびその設置方法の実施の形態を図面に基づいて説明する。中空材ユニットには４つの実施の形態と、また中空材ユニットの設置方法には２つの実施の形態とがあるが、各実施の形態において同じ構成は同じ符号を付して説明し、異なった構成にのみ異なった符号を付して説明する。
【００１０】
図１は第１の実施の形態の中空材ユニット１を示したものである。この中空材ユニット１は、縦横に適宜間隔ごとに設置された中空材２が繋ぎ材４で連結されて構成され、該繋ぎ材４が埋込アンカー３で頂部に固定されている。
【００１１】
中空材２は、同図の（２）に示すように、発泡材で成形された中空のカプセル形であり、下部の四側面には、隣接した中空材との距離を一定に保持する突起５が突設されている。また中空材２の頂部には平面十字形の嵌合溝６が形成され、ここに繋ぎ材の交差部７がはめ込まれ、これを跨ぐようにして埋込アンカー３が設置されている。
【００１２】
この埋設アンカー３は、両端が互いにずれた状態でＵ字形に折り曲げ形成されたものであり、下部側には抜け止用返し８が設けられている。したがって、埋設アンカー３は中空材２に簡単に差し込むことができ、かつ差し込んだ後は容易に引き抜けないようになっている。また繋ぎ材４は、縦筋４ａと横筋４ｂとが格子状に溶接された溶接金網が使用されている。
【００１３】
また、この埋設アンカー３は繋ぎ材の交差部７でなく、図２に示すように、交差部７から少し離れた箇所に取り付けることもでき、ここに限らず中空材２のどこでも簡単に刺し込むことができるようになっている。
【００１４】
図３は第２の実施の形態の中空材ユニット９を示したものである。この中空材ユニット９は中空材２の上下の繋ぎ材４が、中空材の貫通孔１０に配線された結束線１１で結束されたものであり、これ以外は第１の実施の形態の中空材ユニット１と同じ構成である。なお、この中空材２には突起５はないが、一体的に形成された突起５で連結された中空材２であってもよい。
【００１５】
また図４は、繋ぎ材４を中空材２に取り付ける方法を示したものである。はじめに、同図の（１）に示すように、結束線１１を上側へ向けた状態で下側の繋ぎ材４の交差部７に取り付ける。次に、同図の（２）に示すように、この結束線１１を中空材の貫通孔１０に挿入するようにして、下側の繋ぎ材４を中空材２の下部嵌合溝１２に嵌め込むと、結束線１１の上端部が貫通孔１０の上部から突出する。次に、中空材２の上部嵌合溝６に上側の繋ぎ材４をはめ込んで交差部７に束線１１を結束すると、上下の繋ぎ材４が中空材２に取り付けられる。
【００１６】
図５は第３の実施の形態の中空材ユニット１３を示したものである。この中空材ユニット１３は中空材２の頂部の繋ぎ材４が、上部中空材１４内の補強プレート１５に結束線１６で結束されたものであり、これ以外は第１の中空材ユニット１と同じ構成である。この補強プレート１５は上部中空材１４の破壊を防ぐものであり、該上部中空材１４には下部中空材１７が嵌合されて中空材２が形成されている。
【００１７】
図６は第４の実施の形態の中空材ユニット１８を示したものである。この中空材ユニット１３は中空材２の頂部の繋ぎ材４を線状にしたものであり、これ以外は第１の中空材ユニット１と同じ構成である。また、この線状の繋ぎ材４は複数であってもよく、第２および第３の実施の形態の中空材ユニット９、１３にも適用することができる。
【００１８】
なお、上記の実施の形態における中空材ユニット１、９、１３の中空材２はすべてカプセル形であるが、球形または扁平な球形のものであってもよい。
【００１９】
次に、中空材ユニットの設置方法について説明する。図７は第１の実施の形態の設置方法を示したものであり、第１の実施の形態の中空材ユニット１をスラブ型枠に設置するものである。
【００２０】
はじめに、図７に示すように、スラブ型枠１９に上端筋２０ａと下端筋２０ｂとを配筋し、これらの間にスペーサー２１で設置用スペース２２を形成する。この上端筋２０ａと下端筋２０ｂとは格子状であり、この格子部２３が中空材２を押し込むことができる大きさに形成されている。
【００２１】
このように上端筋２０ａと下端筋２０ｂとが配筋された状態で、同図の（２）に示すように、中空材２を格子部２３に入れて、中空材ユニット１を下側に押し付けると突起５が上端筋２０ａに引っ掛かった状態になる。
【００２２】
次に、同図の（３）に示すように、中空材ユニット１をさらに下側へ押し付けると、突起５が変形して中空材ユニット１が設置用スペース２２に設置される。この中空材ユニット１は繋ぎ材４で上端筋２０ａに引っ掛けられた状態になっているため、結束線で上端筋２０ａに結束する。
【００２３】
また図８は第２の実施の形態の設置方法を示したものであり、中空材２が一体的な突起２４で連結された中空材ユニット２５を使用する。この中空材ユニット２５は突起２４の下側中央部に切り込み２６が設けられ、中空材ユニット２５に加えられる下側への押し込み力で突起２４が切り込み２６から切断されて、設置用スペース２２への設置を容易にしたものであり、これ以外は第１の実施の形態の設置方法と同じ構成であり、同じ効果を奏するものである。なお、切り込み２６は一体的な突起２４の上側に設けてもよい。
【００２４】
【発明の効果】
中空材を拘束する補助筋などの余分な材を省略することができる。また中空材を簡単に設置することが可能となった。
【００２５】
スラブ型枠に上端筋と下端筋とを配筋した状態で中空材ユニットが設置できる。また中空材ユニットを設置しなくても上端筋が配筋できる。
【図面の簡単な説明】
【図１】第１の実施の形態の中空材ユニットであり、（１）は平面図、（２）は拡大正面図である。
【図２】第１の実施の形態の中空材ユニットであり、（１）は平面図、（２）は拡大正面図である。
【図３】第２の実施の形態の中空材ユニットであり、（１）は平面図、（２）は正面図である。
【図４】第２の実施の形態の中空材ユニットにおいて、繋ぎ材を中空材の上下に取り付ける方法を示したものであり、（１）は結束線を繋ぎ材に取り付けた正面図、（２）は結束線を中空材の貫通孔に差し込んだ正面図である。
【図５】第３の実施の形態の中空材ユニットであり、（１）は平面図、（２）は中空材の断面図、（３）は上部中空材の断面図である。
【図６】第４の実施の形態の中空材ユニットの平面図である。
【図７】第１の実施の形態の中空材ユニットの設置方法を示したものであり、（１）は上端筋と下端筋とをスラブ型枠に配筋した断面図、（２）は中空材ユニットを上端筋に押し込んだ断面図、（３）は中空材ユニットを設置用スペースに設置した断面図である。
【図８】第２の実施の形態の中空材ユニットの設置方法を示したものであり、（１）は上端筋と下端筋とをスラブ型枠に配筋した断面図、（２）は中空材ユニットを上端筋に押し込んだ断面図、（３）は中空材ユニットを設置用スペースに設置した断面図である。
【符号の説明】
１、９、１３、１８、２５  中空材ユニット
２  中空材
３  埋込アンカー
４  繋ぎ材
５、２４  突起
６  嵌合溝
７  交差部
８  抜け止用返し
１０  貫通孔
１１、１６  結束線
１２  下部嵌合溝
１４  上部中空材
１５  補強プレート
１７  下部中空材
１９  スラブ型枠
２０ａ  上端筋
２０ｂ  下端筋
２１  スペーサー
２２  設置用スペース
２３  格子部
２６  切り込み
【図１】
2004244938.tif 000003
【図２】
2004244938.tif 000004
【図３】
2004244938.tif 000005
【図４】
2004244938.tif 000006
【図５】
2004244938.tif 000007
【図６】
2004244938.tif 000008
【図７】
2004244938.tif 000009
【図８】
2004244938.tif 000010